(57)【要約】【課題】遊技データ表示装置の突出した表示部により遊技場用エアカーテン装置から吹き出される空気が遮断されたり、隣の遊技台で遊技する遊技者に向かって空気が吹き出されたりすることがないようにする。【解決手段】吹出調整部材３０の引掛け部３２を吹出口１３の左右縁に設けられた引掛け部受入口１３ａに引掛けてスライドさせると、吹出調整部材３０が吹出口１３の下半部である吹出調整箇所Ｗに装着される。吹出調整部材３０が吹出口１３に装着された状態では、吹出口１３の吹出調整箇所Ｗが塞がれて、空気を吹き出すことができなくなる。このため、吹出口１３から吹き出された空気が表示部２５の裏面に当たって、隣の遊技台で遊技する遊技者に向けて吹き出されることが防止される。【選択図】図２
2008080059.tif 000002
【特許請求の範囲】
【請求項１】
遊技台に対応して隣接され、遊技台の設置面より前方であり、対応する遊技台と隣接する面の反対側ヘと突出した表示部を備える遊技データ表示装置に並設され、送風手段と、送風手段が送風する空気の吹出口とを備えた遊技場用エアカーテン装置において、
前記吹出口の全体あるいは一部であり、空気の吹出方向に前記表示部があることで、前記遊技データ表示装置に対応する遊技台の隣の遊技者ヘと向かう空気を吹き出す吹出調整箇所に対応して着脱可能な吹出調整部材を備え、この吹出調整部材は、前記吹出調整箇所に対応して装着された場合に、前記吹出調整箇所から吹き出される空気が前記隣の遊技者ヘと向かわないように形成されることを特徴とする遊技場用エアカーテン装置。
【請求項２】
前記吹出調整部材は、前記吹出調整箇所に対応して装着された場合に、前記吹出調整箇所から吹き出される空気を遮断するように形成される請求項１記載の遊技場用エアカーテン装置。
【請求項３】
前記吹出調整部材は、空気を受け入れる空気受入口と、この空気受入口から受け入れられた空気を吹き出す変更吹出口と、前記空気受入口から前記変更吹出口ヘと通ずる空気流路とを有し、前記吹出調整箇所に対応して装着される場合に、前記空気受入口が前記吹出調整箇所から吹き出される空気を受け入れるように装着され、前記空気受入口から受け入れられた空気が前記空気流路を経由して前記表示部を迂回し、前記変更吹出口より吹き出されるように形成されている請求項１記載の遊技場用エアカーテン装置。
【請求項４】
前記表示部は、対応する遊技台と隣接する面の反対側ヘと傾斜して突出するように形成されており、前記吹出調整部材は、前記吹出調整箇所に対応して装着される場合に、前記表示部の傾斜に対応するように傾斜する傾斜部を有し、この傾斜部の先端が前方方向ヘと向かうように形成されている請求項１記載の遊技場用エアカーテン装置。
【請求項５】
前記吹出調整部材は、前記吹出調整箇所に対応して装着される場合に、前記表示部の背面と前記傾斜部とにより前記吹出調整箇所から吹き出される空気の空気流路を形成するように構成されている請求項４記載の遊技場用エアカーテン装置。
【発明の詳細な説明】
【技術分野】
【０００１】
本発明は遊技場用エアカーテン装置に関し、特に空気の吹出口が装置本体の前面側に設けられた遊技場用エアカーテン装置に関する。
【背景技術】
【０００２】
遊技場では遊技者が隣り合って遊技を行うため、遊技者が喫煙すると、その伏流煙等が流れていき、隣の遊技台で遊技する遊技者に不快な思いをさせるおそれがある。このような問題を解消するため、遊技台間にエアカーテンを形成するエアカーテン装置を設ける提案がなされている（例えば、特許文献１等参照）。
【０００３】
他方、遊技場では、遊技台に隣接して遊技データ表示装置を設け、遊技者に対して遊技データなどの各種情報を提供している （例えば、特許文献２等参照）。
【特許文献１】特開平１０-１５２２０号公報
【特許文献２】特開平１１−２３９６６２号公報
【発明の開示】
【発明が解決しようとする課題】
【０００４】
このような遊技データ表示装置は、表示領域の確保と、その視認性および操作性の確保のため、遊技台の設置面よりも、表示部が前方に突出し、遊技台と隣接する面の反対側ヘと傾斜している。また、このような遊技データ表示装置が設置された遊技島は、遊技者の間隔を確保し遊技者にゆとりを持って遊技させるように、あるいは、上記の遊技場用エアカーテン装置等の台間装置を後から追加で設置できるように、ある程度の間隔の余裕を持って遊技台や台間装置が設置されるため、遊技データ表示装置が設置されている場合であっても、遊技島自体に大きく変更を加えることなく、新規に台間装置を設置可能である。
【０００５】
しかし、図１１（ａ）に示すような空気の吹出口１３を有する遊技場用エアカーテン装置１０を、図１１（ｂ）に示すように、遊技データ表示装置２０と並列設置（並設）する場合、以下の問題が発生する。すなわち、遊技データ表示装置２０に遊技場用エアカーテン装置１０を並設する場合、遊技データ表示装置２０の表示部２５の視認性および操作性の確保、ならびに遊技場用エアカーテン装置１０の設置労力の軽減のため、図１２に示すように、遊技データ表示装置１０は遊技者側に取り付けたままとし、遊技場用エアカーテン装置１０を遊技データ表示装置２０よりも外側に設置することが理想的である。ところが、このような配置関係で遊技場用エアカーテン装置１０と遊技データ表示装置２０とを並設した場合、遊技データ表示装置２０の突出した表示部２５の裏面に遊技場用エアカーテン装置１０の吹出口１３から吹き出される空気が当たり、表示部２５によって遊技場用エアカーテン装置１０が吹き出す空気が遮断されたり、隣の遊技台で遊技する遊技者（以下、適宜、隣の遊技者という）に向かって空気が吹き出されたりするおそれがある。このため、現状、遊技データ表示装置２０が設置されている遊技島ヘの遊技場用エアカーテン装置１０の並設は見合わせることが多くなっている。
【０００６】
本発明の目的は、このような事情に鑑み、遊技データ表示装置の突出した表示部により、空気が遮断されたり、隣の遊技台で遊技する遊技者に向かって空気が吹き出されたりすることがないようにした遊技場用エアカーテン装置を提供することにある。
【課題を解決するための手段及び発明の効果】
【０００７】
上記課題を解決するために、請求項１記載の遊技場用エアカーテン装置は、遊技台に対応して隣接され、遊技台の設置面より前方であり、対応する遊技台と隣接する面の反対側ヘと突出した表示部を備える遊技データ表示装置に並設され、送風手段と、送風手段が送風する空気の吹出口とを備えた遊技場用エアカーテン装置において、前記吹出口の全体あるいは一部であり、空気の吹出方向に前記表示部があることで、前記遊技データ表示装置に対応する遊技台の隣の遊技者ヘと向かう空気を吹き出す吹出調整箇所に対応して着脱可能な吹出調整部材を備え、この吹出調整部材は、前記吹出調整箇所に対応して装着された場合に、前記吹出調整箇所から吹き出される空気が前記隣の遊技台で遊技する遊技者ヘと向かわないように形成されることを特徴とする。請求項１記載の遊技場用エアカーテン装置によれば、遊技場用エアカーテン装置を遊技データ表示装置に並設した場合であっても、遊技データ表示装置の表示部の視認性および操作性を維持しながら、空気が遮断されたり、隣の遊技台で遊技する遊技者に対して空気が吹き出されたりするおそれがなくなり、遊技場用エアカーテン装置の本来の機能を維持することができる。
【０００８】
請求項２記載の遊技場用エアカーテン装置は、請求項１に記載の遊技場用エアカーテン装置において、前記吹出調整部材は、前記吹出調整箇所に対応して装着された場合に、前記吹出調整箇所から吹き出される空気を遮断するように形成されることを特徴とする。請求項２記載の遊技場用エアカーテン装置によれば、吹出調整部材が吹出調整箇所に対応して装着された場合に、吹出調整箇所から吹き出される空気が遮断されるようにしたことにより、遊技場用エアカーテン装置を遊技データ表示装置に並設した場合であっても、遊技データ表示装置の表示部の視認性および操作性を維持しながら、隣の遊技台で遊技する遊技者に対して空気が吹き出されたりするおそれがなくなる。
【０００９】
請求項３記載の遊技場用エアカーテン装置は、請求項１に記載の遊技場用エアカーテン装置において、前記吹出調整部材は、空気を受け入れる空気受入口と、この空気受入口から受け入れられた空気を吹き出す変更吹出口と、前記空気受入口から前記変更吹出口ヘと通ずる空気流路とを有し、前記吹出調整箇所に対応して装着される場合に、前記空気受入口が前記吹出調整箇所から吹き出される空気を受け入れるように装着され、前記空気受入口から受け入れられた空気が前記空気流路を経由して前記表示部を迂回し、前記変更吹出口より吹き出されるように形成されていることを特徴とする。請求項３記載の遊技場用エアカーテン装置によれば、吹出調整部材が吹出調整箇所に対応して装着された場合に、空気受入口が吹出調整箇所から吹き出される空気を受け入れ、表示部を迂回して変更吹出口より吹き出されるようにしたので、遊技データ表示装置の表示部の視認性および操作性を維持しながら、空気が遮断されたり、隣の遊技台で遊技する遊技者に対して空気が吹き出されたりするおそれがなくなる。
【００１０】
請求項４記載の遊技場用エアカーテン装置は、請求項１に記載の遊技場用エアカーテン装置において、前記表示部は、対応する遊技台と隣接する面の反対側ヘと傾斜して突出するように形成されており、前記吹出調整部材は、前記吹出調整箇所に対応して装着される場合に、前記表示部の傾斜に対応するように傾斜する傾斜部を有し、この傾斜部の先端が前方方向ヘと向かうように形成されていることを特徴とする。請求項４記載の遊技場用エアカーテン装置によれば、吹出調整部材が吹出調整箇所に対応して装着される場合に、表示部の傾斜に対応するように傾斜する傾斜部を有し、この傾斜部の先端が前方方向ヘと向かうように形成されているので、遊技データ表示装置の表示部の視認性および操作性を維持しながら、空気が遮断されたり、隣の遊技台で遊技する遊技者に対して空気が吹き出されたりするおそれがなくなる。
【００１１】
請求項５記載の遊技場用エアカーテン装置は、請求項４に記載の遊技場用エアカーテン装置において、前記吹出調整部材は、前記吹出調整箇所に対応して装着される場合に、前記表示部の背面と前記傾斜部とにより前記吹出調整箇所から吹き出される空気の空気流路を形成するように構成されていることを特徴とする。請求項５記載の遊技場用エアカーテン装置によれば、吹出調整部材が表示部の背面とともに吹出方向の転換を行うように構成されているため、表示部の背面に対して吹き出される空気により表示部を冷却することとなり、熱を持つ表示部の寿命を伸ばすことができるようになる。
【発明を実施するための最良の形態】
【００１２】
遊技データ表示装置が設置されている遊技島に遊技場用エアカーテン装置を並設する場合に、遊技場用エアカーテン装置の吹出口から吹き出される空気が遊技データ表示装置の表示部の裏面に当たり、空気が遮断されたり、遊技データ表示装置の表示部によって空気が隣の遊技台で遊技する遊技者に向かって吹き出されたりすることがないようにするという目的を、遊技場用エアカーテン装置の吹出口に、吹出口からの空気の吹出を調整する吹出調整部材を取り付けることによって達成した。
【００１３】
以下、本発明の遊技場用エアカーテン装置の実施の形態について、図面を参照して説明する。
【実施例１】
【００１４】
図１は、本発明の実施例１に係る遊技場用エアカーテン装置１０，および遊技データ表示装置２０を示す斜視図である。また、図２（ａ），（ｂ），（ｃ），（ｄ）は、遊技場用エアカーテン装置１０に吹出調整部材３０を装着する内部配置イメージ図，吹出口１３の近傍拡大図，吹出調整部材３０の背面図，および吹出調整部材３０の変形例を示す要部図である。図１において、吹出調整箇所Ｗは、吹出口１３の内、吹出口１３と表示部２５とが重なる高さ範囲であり、具体的には、吹出口１３の下半部がそれに相当している。吹出口１３の吹出調整箇所Ｗからの空気の吹出を遮断するために、吹出口１３の下半部に吹出調整部材３０が装着される。
【００１５】
遊技場用エアカーテン装置１０は、図１に示すように、装置本体１１が縦長の直方体状に形成されており、前面下部側には吸込口１２が設けられているとともに、前面上部側にはエアカーテンを形成するように縦長に穿設された吹出口１３が設けられている。また、前面中程には、風量調節釦１４が配設されている。
【００１６】
遊技データ表示装置２０は、図１に示すように、装置本体２１が縦長の直方体状に形成されており、前面下部側にはカードを挿入するカード挿入口２２が設けられているとともに、前面上部側には貨幣を投入する貨幣投入口２３が設けられている。また、前面中程には、貸出ノズル２４が配設されている。さらに、コイン投入口２３と貸出ノズル２４との間には、斜め前方に突設された液晶表示装置等でなる表示部２５が設けられている。表示部２５は、対応する遊技台１（図１０参照）等の遊技データを表示するものであり、前方に傾斜（３０度程度）して突出している。厳密には、表示部２５は、遊技台１の設置面より前方であり、対応する遊技台１と隣接する面の反対側ヘと突出している（図９参照）。傾斜は固定式であっても、遊技者が手動で角度を変更できる可動式であってもよい。なお、遊技データ表示装置２０は、斜め前方に突設された表示部２５が備えられていれば本発明を適用するのに十分であり、また、遊技データ表示装置２０それ自体は周知のものであるので、これ以上の詳しい説明を省略する。
【００１７】
図２（ａ）に示すように、遊技場用エアカーテン装置１０の吸込口１２と吹出口１３との間には、ダクト等でなる空気流路１５が形成されており、空気流路１５の吹出口１３寄りには送風手段であるファン１６が配設されている。また、吸込口１２の奥（後方）には、空気中の塵埃を除去するフィルタ１７が交換可能に配設されている。さらに、フィルタ１７とファン１６との間の空気流路１５中には、光触媒部材１８ａ（図３参照）を備えるメインの電気回路基板（以下、単にメイン基板という）１８が設けられている。なお、図２（ａ）中、符号１９は、ファン１６等を含む遊技場用エアカーテン装置１０全体に電源を供給する電源基板を示す。
【００１８】
図２（ｂ）に示すように、遊技場用エアカーテン装置１０の吹出口１３の左右縁に沿って縦溝に多数の横棒がはしご状に配設されてなる引掛け部受入口１３ａが設けられている。引掛け部受入口１３ａは、吹出調整部材３０の逆Ｌ字形の引掛け部３２と掛合して吹出口１３に吹出調整部材３０を取り付ける役目をする。詳しくは、吹出調整部材３０の引掛け部３２を引掛け部受入口１３ａに挿入して下側にスライドさせることにより、引掛け部３２の逆Ｌ字形のフックが横棒に掛合して、吹出調整部材３０が吹出口１３に掛合固定される。
【００１９】
遊技場用エアカーテン装置１０は、図１０に示すように、遊技台１に隣接して配置された遊技データ表示装置２０にさらに隣接して並設されて使用される。ただし、遊技台１に隣接して配置された遊技データ表示装置２０に並設されていれば、遊技台１毎に対応して設けられていなくともよい（つまり、遊技台１の数と遊技場用エアカーテン装置１０の数との比は、１対１である必要はなく、２対１等であってもよい）。なお、遊技台１それ自体は周知であるので、詳しい説明を省略する。また、図１０中では、遊技台１としてパチンコ遊技機を例示したが、遊技台１はスロットマシン等の他の遊技機であってもよいことはいうまでもない。
【００２０】
図２（ａ）に戻って、フィルタ１７は、空気中の塵埃を除去するものであり、例えば、直方体状の筐体内に複数層のプリーツを縦方向に積み上げることによって構成されている。フィルタ１７は、何層ものフェルト等の素材により形成されたプリーツによって集塵効果を高めている。
【００２１】
図３に示すように、メイン基板１８には、空気流路１５内に光触媒部材１８ａが配設されている。光触媒部材１８ａには、紫外線等の照射により空気中に含まれる細菌を殺菌したり、臭いを分解したりする二酸化チタン等の光触媒が塗布されている。光触媒部材１８ａは、同じくメイン基板１８に複数設けられた図示しないＬＥＤ（Light Emitting Diode）からの紫外線等の照射により光触媒の浄化作用を促し、空気流路１５を流れる空気を浄化する。なお、光触媒部材１８ａを配設する形態については、どのようなものであってもよい。
【００２２】
遊技場用エアカーテン装置１０は、ファン１６を回転することで、正面下部側の吸込口１２から空気を吸い込み、フィルタ１７およびメイン基板１８の光触媒部材１８ａにより清浄化された空気を正面上部側の吹出口１３から吹き出し、タバコの煙等を遮断するエアカーテンを形成するとともに、遊技場内の空気を清浄化する。なお、風量調節釦１４の押下に応じて、遊技場用エアカーテン装置１０の風量を、「通常」→「強」→「切」→「通常」と順に切り替え可能である。
【００２３】
吹出調整部材３０は、図２（ｂ），（ｃ）に示すように、縦長の四角板体状に形成され、背面の左右縁および下縁に沿ってゴム等の弾性体でなる弾性部材３１が配設されている（逆に、上縁には、遮断した空気を導くために弾性部材３１が設けられていない）とともに、弾性部材３１の左右縁に沿って逆Ｌ字形の引掛け部３２が多数形成されている。吹出調整部材３０の高さは、吹出調整箇所Ｗの高さと一致するように選定されている。引掛け部３２は、遊技場用エアカーテン装置１０の吹出口１３の左右縁に沿って縦溝に多数の横棒がはしご状に配設されてなる引掛け部受入口１３ａにそれぞれ掛合して、吹出調整部材３０を吹出口１３に取り付ける役目をする。吹出調整部材３０の引掛け部３２を吹出口１３の引掛け部受入口１３ａに掛合固定することにより、吹出調整部材３０が吹出口１３に装着され、遊技場用エアカーテン装置１０の吹出口１３から吹き出される空気が吹出調整箇所Ｗ以外の範囲に限定され、吹出口１３から吹き出された空気が表示部２５に当たり、隣の遊技台で遊技する遊技者に向かって空気が吹き出されるおそれがなくなる。
【００２４】
ただし、吹出調整部材３０の遊技場用エアカーテン装置１０への装着手段については、図２（ｂ），（ｃ）に示した遊技場用エアカーテン装置１０側に縦溝に多数の横棒がはしご状に配設されてなる引掛け部受入口１３ａ、吹出調整部材３０側に逆Ｌ字形の引掛け部３２を設ける構成のみに留まらず、例えば、一方に鉄板、他方に電磁石を設けて磁力により装着するようにしてもよい。
【００２５】
なお、遊技データ表示装置２０は、メーカーや機種に応じて表示部２５の高さが区々であるため、引掛け部受入口１３ａは複数設けられている。このため、表示部２５の高さに合わせて、空気の吹出を遮断する吹出調整箇所Ｗを変更し、引掛け部３２の数を変更した吹出調整部材３０を用意するとよい。
【００２６】
次に、このように構成された実施例１に係る遊技場用エアカーテン装置１０の動作を、吹出調整部材３０の使用方法とともに説明する。
【００２７】
まず、吹出調整部材３０を、遊技場用エアカーテン装置１０の吹出口１３に装着する（図２（ｂ）等参照）。詳しくは、吹出調整部材３０の引掛け部３２の全てを吹出口１３の引掛け部受入口１３ａに挿入し、下側にスライドさせて吹出調整部材３０を吹出口１３に装着する。なお、吹出調整部材３０の左右縁および下縁には弾性部材３１が設けられているので、吹出調整部材３０を吹出口１３に装着した状態で、吹出口１３から吹き出される空気が左右方向および下方向に漏れることはない。
【００２８】
吹出調整部材３０を吹出口１３に装着した状態から、風量調節釦１４を押下して、遊技場用エアカーテン装置１０の運転状態を「切」から「通常」または「強」に切り換えると、電源基板２０からファン１６に通電が行われ、ファン１６が回転を開始する。ただし、ファン１６を作動させたまま吹出調整部材３０を吹出口１３に装着するようにしてもよい。
【００２９】
ファン１６が回転すると、空気流路１５が負圧となり、吸込口１２から空気が吸い込まれ、吸い込まれた空気はフィルタ１７で塵埃を除去される。
【００３０】
フィルタ１７を通過した空気は、メイン基板１８において、図示しないＬＥＤから紫外線等が光触媒部材１８ａに照射されることによって発生する活性酸素等により、空気中に含まれる細菌が殺菌され、臭いが分解される。
【００３１】
メイン基板１８を通過した空気は、ファン１６を通って、正面上部側の吹出口１３から吹き出されるが、吹出調整箇所Ｗに対応する吹出口１３の下半部が吹出調整部材３０により塞がれているので、吹出口１３の上半部からのみ空気が吹き出されることになる。このため、吹出口１３から吹き出される空気が表示部２５の背面に吹き付けられることがなくなり、吹出口１３から吹き出される空気が隣の遊技者ヘと向うことがなくなる。一方、吹出口１３の上半部から吹き出された空気は、タバコの煙等を遮断するエアカーテンを形成する。また、清浄化された空気がエアカーテンとして遊技場内に放出されることにより、遊技場内の空気が清浄化される。
【００３２】
本実施例１によれば、吹出調整部材３０を吹出口１３に装着して、吹出口１３からの空気の吹出を一部遮断するようにしたので、遊技場用エアカーテン装置１０を遊技データ表示装置２０に並設した場合であっても、遊技データ表示装置２０の視認性および操作性を維持しながら、隣の遊技台１で遊技する遊技者に対して空気が吹き出されるおそれがなくなり、遊技場用エアカーテン装置１０の本来の機能を維持することができる。
【００３３】
なお、図２（ｄ）に示す実施例１の変形例のように、吹出調整部材３０Ａの上端縁後方に吹出口１３の内部まで到達する空気誘導弁３３を設けて、吹出口１３から吹き出す空気を誘導して遮断するようにしてもよい。
【００３４】
ところで、実施例１では、吹出調整部材３０を吹出口１３に装着する際に、吹出調整部材３０を吹出口１３にそのまま装着するようにしたが、後述する実施例２の変形例（図６参照）に示すように、吹出口１３の前面部分をカバー部材とし、そのカバー部材を外した上で、吹出調整部材３０を吹出口１３に装着するようにしてもよい。このようにする場合には、外したカバー部材の箇所を、カバー部材および吹出調整部材３０の双方を装着可能な構成（つまり、引掛け部受入口１３ａや電磁石などを設ける構成）とする。詳細については、後述する。
【実施例２】
【００３５】
図４（ａ）は、本発明の実施例２に係る遊技場用エアカーテン装置１０，およびそれに並設される遊技データ表示装置２０を示す斜視図である。図４（ａ）において、吹出調整箇所Ｗは、吹出口１３の内、吹出口１３と表示部２５とが重なる高さ範囲であり、具体的には、吹出口１３の下半部がそれに相当している。吹出口１３の吹出調整箇所Ｗから吹き出される空気を迂回させて、表示部２５の底面よりも下側から吹き出させるために、吹出口１３の下半部に吹出調整部材４０が装着される。
【００３６】
図４（ｂ）は、本発明の実施例２に係る遊技場用エアカーテン装置１０に吹出調整部材４０を装着して、遊技データ表示装置２０に並設した様子を示す斜視図である。
【００３７】
図５（ａ），（ｂ），（ｃ）は、吹出調整部材４０の斜視図，背面図および側面断面図である。吹出調整部材４０は、下方となるに従って細くなる縦長の筒体でなり、上端側後方垂直端面に空気受入口４０ａが、下端側前方垂直端面に変更吹出口４０ｂがそれぞれ形成されている。
【００３８】
図５（ｂ）に示すように、空気受入口４０ａの左右縁および下縁に沿ってゴム等の弾性体でなる弾性部材４１が配設されているとともに、空気受入口４０ａの上縁には空気の吹出を滑らかにするための空気誘導弁４３が設けられている（すなわち、上縁には、弾性部材４１が設けられていない）。なお、空気誘導弁４３を、遊技場用エアカーテン装置１０内のファン１６付近まで伸ばすような構造としてもよい。また、弾性部材４１の左右縁に沿って逆Ｌ字形の引掛け部４２が多数形成されている。引掛け部４２は、実施例１における引掛け部３２と同様に構成されており、遊技場用エアカーテン装置１０の吹出口１３の左右縁に沿って縦溝に多数の横棒がはしご状に配設されてなる引掛け部受入口１３ａに掛合して、吹出調整部材４０を吹出口１３に装着する役目をする。
【００３９】
吹出調整部材４０は、図４（ａ），（ｂ）に示すように、下端部が表示部２５の底面よりさらに下位となる位置まで延び出しており、その下端側前方垂直端面に縦長のスリット状の変更吹出口４０ｂが形成されている。すなわち、変更吹出口４０ｂから吹き出される空気は、表示部２５に邪魔されることなく、前方に吹き出されるようになっている。
【００４０】
図５（ｃ）に示すように、吹出調整部材４０内の空気受入口４０ａと変更吹出口４０ｂとを連通する空気流路４０ｃは、流線型に形成されている。吹出調整部材４０内部の空気流路４０ｃを流線型とすることで、上方の空気受入口４０ａから下方の変更吹出口４０ｂへと空気が流れやすい構造となっている。
【００４１】
なお、遊技場用エアカーテン装置１０のその他の部分、および遊技データ表示装置２０については、実施例１の場合と同様に構成されているので、それらについては同一の符号を付して詳しい説明を省略する。
【００４２】
また、図１０に示すように、吹出調整部材４０が、遊技台１に隣接して配置された遊技データ表示装置２０にさらに隣接して並設された遊技場用エアカーテン装置１０に対して着脱自在に装着されることも、実施例１の場合と同様である。
【００４３】
このように構成された実施例２に係る遊技場用エアカーテン装置１０では、吹出口１３の吹出調整箇所Ｗ（図４（ａ）参照）に吹出調整部材４０を装着することで、吹出口１３から吹き出される空気の向きが吹出調整部材４０によって転換され、変更吹出口４０ｂより吹き出されるようになる。特に、空気受入口４０ａの上縁に空気の吹出を滑らかにするための空気誘導弁４３が設けられており、また吹出調整部材４０内部の空気流路４０ｃも流線型となっているので、吹出口１３から吹き出された空気は空気受入口４０ａから下方の変更吹出口４０ｂへと滑らかに流れて、変更吹出口４０ｂから吹き出される。
【００４４】
なお、その他の動作については、実施例１の動作と同様になるので、詳しい説明を省略する。
【００４５】
実施例２によれば、吹出調整部材４０が吹出口１３の吹出調整箇所Ｗに対応して装着された場合に、空気受入口４０ａが吹出口１３の吹出調整箇所Ｗから吹き出される空気を受け入れ、空気流路４０ｃを経由して表示部２５を迂回し、変更吹出口４０ｂより吹き出されるので（吹き出す空気の向きを変更するので）、遊技データ表示装置２０の表示部２５の視認性および操作性を維持しながら、空気が遮断されたり、隣の遊技台で遊技する遊技者に対して空気が吹き出されたりするおそれがなくなる。
【００４６】
なお、実施例２では、吹出調整部材４０を吹出口１３に装着する際に、吹出調整部材４０を吹出口１３にそのまま装着するようにしたが、例えば、図６に示すように、吹出口１３の前面部分をカバー部材６０とし、カバー部材６０を外した上で、カバー部材６０を外した一段奥まった面１１ａに設けた吹出口１３に対して、変形例の吹出調整部材４０Ａを装着するようにしてもよい。この場合、吹出口１３を、カバー部材６０および変形例の吹出調整部材４０Ａの双方を装着可能な構成（つまり、引掛け部受入口１３ａや電磁石などを設ける構成）とする。具体的には、装置本体１１の前面から一段下がった面１１ａに形成された吹出口１３の左右縁に沿って縦溝に多数の横棒がはしご状に配設されてなる引掛け部受入口１３ａが形成されている。
【００４７】
カバー板６０は、引掛け部６１と、突起６２と、スリット６３とを備える。突起６２は、カバー板６０から後方に延出され、吹き出す空気を吹出側へと誘導する役目をする。吹出口１３の引掛け部受入口１３ａには、通常は、縦方向のスリット６３が形成されたカバー板６０の内面側四隅に形成された逆Ｌ字形の引掛け部６１が掛合固定されるようになっており、掛合固定された状態でカバー板６０の表面は遊技場用エアカーテン装置１０の前面とほぼ面一となるようになっている。
【００４８】
変形例の吹出調整部材４０Ａは、縦長の筒体でなり、上端部にカバー部４４および空気受入口４０ａが順に形成され、下端前方垂直端面に変更吹出口４０ｂが形成されている。カバー部４４は、引掛け部４２と、突起４５と、スリット４６とを備える。突起４５は、カバー部４４から後方に延出され、吹き出す空気を吹出側へと誘導する役目をする。また、空気受入口４０ａの左右縁には、引掛け部４２が形成されている。
【００４９】
このように構成された遊技場用エアカーテン装置１０の変形例では、カバー板６０を遊技場用エアカーテン装置１０の吹出口１３から取り外した後に、変形例の吹出調整部材４０Ａが吹出口１３に装着される以外は、実施例１に係る遊技場用エアカーテン装置１０と同様の作用効果が得られることはいうまでもない。
【実施例３】
【００５０】
図７（ａ）は、本発明の実施例３に係る遊技場用エアカーテン装置１０，およびそれに並設される遊技データ表示装置２０を示す斜視図である。図７（ａ）において、吹出調整箇所Ｗは、吹出口１３の内、吹出口１３と表示部２５とが重なる高さ範囲であり、具体的には、吹出口１３の下半部がそれに相当している。吹出口１３の吹出調整箇所Ｗから吹き出された空気を表示部２５の先端側に誘導するために、吹出口１３の下半部である吹出調整箇所Ｗに吹出調整部材５０が装着される。なお、吹出調整部材５０が表示部２５の背面とともに空気流路を形成することから、引掛け部受入口１３ａは、吹出口１３の左縁（吹出口１３の遊技データ表示装置２０とは反対側の縁）に沿ってのみ形成されている。
【００５１】
図７（ｂ）は、本発明の実施例３に係る遊技場用エアカーテン装置１０に吹出調整部材５０を装着して、遊技データ表示装置２０に並設した様子を示す斜視図である。
【００５２】
図８（ａ），（ｂ）は、吹出調整部材５０の正面斜視図および背面斜視図である。図８（ａ），（ｂ）を参照すると、吹出調整部材５０は、斜め前方に延出された傾斜部５１と、傾斜部５１の先端から前方に折り曲げられた先端部５２と、傾斜部５１の基端から先端部５２とは反対側に鋭角に曲折された取付部５３と、取付部５３の遊技場用エアカーテン装置１０との接触面の上半部に縦方向に連設された複数の引掛け部５４と、取付部５３の遊技場用エアカーテン装置１０との接触面の引掛け部５４を挟む左右両端縁に縦方向に設けられた一対の弾性部材５５，５６とから構成されている。
【００５３】
吹出調整部材５０は、図７（ａ）に示すように、上辺が表示部２５の上面とほぼ一致する高さにあり、下辺が表示部２５の底面よりも下方となる高さにあって、表示部２５の底面よりも下までカバーするようになっている。
【００５４】
吹出調整部材５０の引掛け部５４については、実施例１および２と同様に形成されている。吹出口１３側の弾性部材５５は、引掛け部５４に沿うように設けられ、他方側の弾性部材５６は、吹出調整部材５０の装着を安定させるように引掛け部５４から少し離間されて設けられている。また、吹出調整部材５０の先端部５２は、吹出調整部材５０により誘導され吹き出される空気が、そのまま、遊技者へと当たらないように、前方へ向ける構造となっている。
【００５５】
図９は、吹き出される空気の流れを説明する要部拡大断面図である。図９に示すように、表示部２５は、遊技台１の設置面より前方であり、対応する遊技台１と隣接する面の反対側ヘと突出しているので、吹出調整部材５０の傾斜部５１の角度も、表示部２５の傾斜可能な角度とほぼ同等とする角度（約３０度）とすることが望ましい。このようにすることにより、遊技場用エアカーテン装置１０の吹出口１３から吹き出された空気は、吹出調整部材５０の傾斜部５１と表示部２５の背面との間に形成された空気流路を通じて流れ、先端部５２に当たって前方に向けて吹き出される。なお、表示部２５の傾斜が固定式である場合には吹出調整部材５０の傾斜も固定式とし、表示部２５の傾斜が可動式である場合には吹出調整部材５０の傾斜も可動式であることが望ましい。
【００５６】
図１０に示すように、吹出調整部材５０が、遊技台１に隣接して配置された遊技データ表示装置２０にさらに隣接して並設された遊技場用エアカーテン装置１０に対して着脱自在に装着されることも、実施例１および２の場合と同様である。
【００５７】
なお、遊技場用エアカーテン装置１０のその他の部分、および遊技データ表示装置２０については、実施例１および２の場合と同様に構成されているので、それらについては同一の符号を付して詳しい説明を省略する。
【００５８】
このように構成された実施例３に係る遊技場用エアカーテン装置１０では、吹出口１３の吹出調整箇所Ｗ（図７参照）に吹出調整部材５０を装着し、吹出口１３から吹き出される空気が吹出調整部材５０と表示部２５の背面との間の空気流路を通り抜けることにより空気の向きを転換し、先端部５２により前方に吹き出させる。
【００５９】
なお、その他の動作については、実施例１および２の動作と同様になるので、詳しい説明を省略する。
【００６０】
実施例３によれば、吹出調整部材５０が吹出口１３の吹出調整箇所Ｗに対応して装着されると、吹出口１３から吹き出された空気が吹出調整部材５０の傾斜部５１と表示部２５の背面との間の空気流路を流れながら、先端部５２に当たって前方に吹き出されるので、遊技データ表示装置２０の表示部２５の視認性および操作性を維持しながら、空気が遮断されたり、隣の遊技台で遊技する遊技者に対して空気が吹き出されたりするおそれをなくすことができる。
【００６１】
また、実施例３によれば、吹出調整部材５０が表示部２５の背面とともに吹出方向の転換を行うように構成されているため、表示部２５の背面に対して吹き出される空気により表示部２５が冷却されることとなり、熱を持つ表示部２５の寿命を伸ばすことができる。
【００６２】
なお、吹出口１３の遊技データ表示装置２０とは反対側の縁にのみ吹出調整部材５０を装着する構成の方が、表示部２５を冷却することが可能となるので好適であるが、吹出口１３の両側縁に吹出調整部材５０を取り付けたり、吹出調整部材４０のような筒状の吹出調整部材５０を装着したりするようにしてもよい。
【００６３】
ところで、上記各実施例に係る遊技場用エアカーテン装置１０に関しては、以下のような変形例を考えることができる。
【００６４】
各実施例では、吸込口１２を遊技場用エアカーテン装置１０の正面下部側に設け、吹出口１３を遊技場用エアカーテン装置１０の正面上部側に設けるようにしたが、吹出口１３，吸込口１２，ファン１６等の配置は全て例示であり、吸込口１２を遊技場用エアカーテン装置１０の正面上部側に設け、吹出口１３を遊技場用エアカーテン装置１０の正面下部側に設ける等、どのような配置構成にしてもよい。
【００６５】
また、各実施例では、送風手段のファン１６を吹出口１３の近傍に１つ配設するようにしたが、別途空気吸込用のファンを吸込口１２の近傍に設けるようにしてもよい。
【００６６】
さらに、各実施例では、フィルタ１７，メイン基板１８の光触媒部材１８ａによる空気清浄機能があるように説明したが、本発明の遊技場用エアカーテン装置は、エアカーテン機能を備えていれば十分であり、空気清浄機能は必須ではない。
【００６７】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【００６８】
【図１】本発明の実施例１に係る遊技場用エアカーテン装置，およびそれに並設される遊技データ表示装置を示す斜視図。
【図２】（ａ），（ｂ），（ｃ），（ｄ）は、遊技場用エアカーテン装置に吹出調整部材を装着する内部配置イメージ図，吹出口の近傍拡大図，吹出調整部材の背面図，および吹出調整部材の変形例を示す要部図。
【図３】メイン基板および光触媒部材の上方向からの断面イメージ図。
【図４】（ａ），（ｂ）は、本発明の実施例２に係る遊技場用エアカーテン装置，およびそれに並設される遊技データ表示装置を示す斜視図。
【図５】（ａ），（ｂ），（ｃ）は、吹出調整部材の斜視図，背面図および側面断面図。
【図６】本発明の実施例２に係る遊技場用エアカーテン装置における吹出調整部材の変形例を説明する斜視図。
【図７】（ａ），（ｂ）は、本発明の実施例３に係る遊技場用エアカーテン装置，およびそれに並設される遊技データ表示装置を示す斜視図。
【図８】（ａ），（ｂ）は、吹出調整部材の正面斜視図および背面斜視図。
【図９】吹き出される空気の流れを説明する要部拡大断面図。
【図１０】吹出調整部材，遊技場用エアカーテン装置，遊技データ表示装置および遊技台の配置関係を説明する図。
【図１１】従来の遊技場用エアカーテン装置と遊技データ表示装置とを並設したときの問題点を説明する図。
【図１２】従来の遊技場用エアカーテン装置を遊技島に設置した場合の問題点を説明する図。
【符号の説明】
【００６９】
１０  遊技場用エアカーテン装置
１１  装置本体
１２  吸込口
１３  吹出口
１３ａ  引掛け部受入口
１４  風量調節釦
１５  空気流路
１６  ファン
２０  遊技データ表示装置
３０，３０Ａ，４０，４０Ａ，５０  吹出調整部材
３１，４１，５５，５６  弾性部材
３２，４２，５４  引掛け部
４０ａ  空気受入口
４０ｂ  変更吹出口
４０ｃ  空気流路
４３  空気誘導弁
５１  傾斜部
５２  先端部
５３  取付部
【図１】
2008080059.tif 000003
【図２】
2008080059.tif 000004
【図３】
2008080059.tif 000005
【図４】
2008080059.tif 000006
【図５】
2008080059.tif 000007
【図６】
2008080059.tif 000008
【図７】
2008080059.tif 000009
【図８】
2008080059.tif 000010
【図９】
2008080059.tif 000011
【図１０】
2008080059.tif 000012
【図１１】
2008080059.tif 000013
【図１２】
2008080059.tif 000014